【手続補正書】
【提出日】平成31年4月8日(2019.4.8)
【手続補正１】
【補正対象書類名】明細書
【補正対象項目名】発明の名称
【補正方法】変更
【補正の内容】
【発明の名称】印刷装置および印刷装置の制御方法
【手続補正２】
【補正対象書類名】明細書
【補正対象項目名】０００１
【補正方法】変更
【補正の内容】
【０００１】
本発明は、印刷装置および印刷装置の制御方法に関する。
【手続補正３】
【補正対象書類名】明細書
【補正対象項目名】０００６
【補正方法】変更
【補正の内容】
【０００６】
本発明は上述の課題に鑑みてなされたものであり、高い精度で、そして短い時間で媒体幅を検出可能な印刷装置および印刷装置の制御方法を提供する。
【手続補正４】
【補正対象書類名】明細書
【補正対象項目名】００２７
【補正方法】変更
【補正の内容】
【００２７】
カバー１１０において、窓部８８は、キャリッジ８２が移動するときにセンサー８３の検出面側に対向する部分に設けられている。窓部８８は、例えば、透明なガラス又は透明プラスチック等の光透過部材からなる。センサー８３は光学式センサーであり、媒体Ｐを、窓部８８を介して光学的に読み取ることで媒体Ｐの側端を検出する。図２の例では、窓部８８は幅方向Ｘに沿って２つ設けられている。印刷装置１１では、媒体Ｐはサイズに依らずその幅方向Ｘの中心が給送路４５，４８の幅方向Ｘの中心位置を通るセンター給送が行われる。２つの窓部８８の間には、給送路４５，４８の幅方向Ｘの中心位置に対応する位置に、略水平な支持部８１Ｃが介在している。支持部８１Ｃも媒体支持部８１Ｂの一部である。ただし、カバー１１０は、支持部８１Ｃを有さずに、支持部８１Ｃの位置も窓部８８であってもよい。
【手続補正５】
【補正対象書類名】明細書
【補正対象項目名】００９５
【補正方法】変更
【補正の内容】
【００９５】
ステップＳ３４０は、ステップＳ２４０と同じである。ステップＳ３４０の後、制御部１２０は、予め指定されている媒体のサイズに基づく第１範囲をキャリッジ８２が移動し終えたか否かを判定し（ステップＳ３５０）、キャリッジ８２が第１範囲の移動を終えたと判定した場合に、ステップＳ３６０へ進む。当該変形例にかかる小サイズ媒体用検出処理（ステップＳ３２０〜Ｓ４１０）では、大サイズ媒体用検知処理（ステップＳ２２０〜Ｓ３１０）と同様に、第２移動制御を実行すべき第１範囲および第３範囲、第１移動制御を実行すべき第２範囲、という概念を導入する。当該変形例で言う第１範囲とは、キャリッジ８２の移動可能範囲のうち、ホーム位置ＨＰをスタート位置とする範囲であって、小サイズ媒体のホーム位置ＨＰ側の側端ＰＥ１を確実に含んでいると予想される範囲であり、同様に、第３範囲とは、キャリッジ８２の移動可能範囲のうち、反ホーム位置ＡＰをゴール位置とする範囲であって、小サイズ媒体の反ホーム位置ＡＰ側の側端ＰＥ２を確実に含んでいると予想される範囲である。第１範囲の長さと第３範囲の長さは等しい。第２範囲は、キャリッジ８２の移動可能範囲のうち、第１範囲と第３範囲とに挟まれて、第１範囲と第３範囲とに該当しない範囲である。
【手続補正６】
【補正対象書類名】特許請求の範囲
【補正対象項目名】全文
【補正方法】変更
【補正の内容】
【特許請求の範囲】
【請求項１】
媒体を搬送する搬送部と、
前記媒体に印刷する印刷ヘッドと、
前記搬送部による前記媒体の搬送方向と交差する幅方向に移動するキャリッジと、
前記キャリッジに搭載され、前記幅方向の異なる位置に設けられた２つのセンサーと、
少なくとも前記キャリッジの移動を制御する制御部と、を備え、
前記制御部は、
第１分解能で前記キャリッジの位置を変化させる第１移動制御と、前記第１分解能よりも高い第２分解能で前記キャリッジの位置を変化させる第２移動制御とを切替え可能であり、
前記第１移動制御により前記キャリッジを所定の方向に移動させ、前記２つのセンサーのうち移動の前方側のセンサーが前記媒体の一端を検出した後に、前記第１移動制御から前記第２移動制御に切替えて前記キャリッジを前記所定の方向に移動させ、前記２つのセンサーのうち移動の後方側のセンサーで前記一端を検出した後に、前記第２移動制御から前記第１移動制御に切替えて前記キャリッジを前記所定の方向に移動させ、前記前方側のセンサーが前記媒体の他端を検出した後に、前記第１移動制御から前記第２移動制御に切替えて前記キャリッジを前記所定の方向に移動させ、前記後方側のセンサーで前記他端を検出し、前記後方側のセンサーによる前記一端および前記他端の検出結果に基づいて前記媒体の前記幅方向の長さを算出する、ことを特徴とする印刷装置。
【請求項２】
前記幅方向における前記キャリッジが移動可能な範囲の一端位置に前記キャリッジが在る状況で、前記２つのセンサーのうちいずれかのセンサーが前記媒体を検出している場合、
前記制御部は、前記キャリッジを前記一端位置から前記移動可能な範囲の他端位置へ向かって移動させる過程で、予め指定されている前記媒体のサイズに基づく第１範囲を前記第２移動制御により移動させ、続いて前記媒体のサイズに基づく第２範囲を前記第１移動制御により移動させ、前記第２範囲の移動後、前記媒体のサイズに基づく第３範囲を前記第２移動制御により移動させ、前記キャリッジの前記第１範囲の移動中における前記後方側のセンサーによる前記媒体の前記一端の検出結果、前記キャリッジの前記第３範囲の移動中における前記前方側のセンサーによる前記媒体の前記他端の検出結果、および前記幅方向の前記２つのセンサー間距離、に基づいて前記媒体の前記幅方向の長さを算出する、ことを特徴とする請求項１に記載の印刷装置。
【請求項３】
前記キャリッジは、前記印刷ヘッドよりも前記搬送方向の上流側の位置で前記印刷ヘッドと独立して前記幅方向に移動可能であることを特徴とする請求項１または請求項２に記載の印刷装置。
【請求項４】
前記制御部は、電源オン後に前記媒体の所定の搬送元から前記搬送部が最初に搬送した前記媒体を対象として、前記幅方向の長さを算出することを特徴とする請求項１〜請求項３のいずれかに記載の印刷装置。
【請求項５】
前記制御部は、電源オンの状態で前記媒体の所定の搬送元の一つであるカセットが本体の筐体から引き出されかつ当該筐体へ収容された後、前記搬送部が前記カセットから最初に搬送した前記媒体を対象として、前記幅方向の長さを算出することを特徴とする請求項１〜請求項４のいずれかに記載の印刷装置。
【請求項６】
前記制御部は、前記媒体の所定の搬送元の一つである手差しトレイに前記媒体がセットされた後、前記搬送部が前記手差しトレイから最初に搬送した前記媒体を対象として、前記幅方向の長さを算出することを特徴とする請求項１〜請求項５のいずれかに記載の印刷装置。
【請求項７】
媒体を搬送する搬送部と、
前記媒体に印刷する印刷ヘッドと、
前記搬送部による前記媒体の搬送方向と交差する幅方向に移動するキャリッジと、
前記キャリッジに搭載され、前記幅方向の異なる位置に設けられた２つのセンサーと、を備える印刷装置の制御方法であって、
第１分解能で前記キャリッジの位置を変化させる第１移動制御により前記キャリッジを所定の方向に移動させ、前記２つのセンサーのうち移動の前方側のセンサーが前記媒体の一端を検出した後に、前記第１移動制御から前記第１分解能よりも高い第２分解能で前記キャリッジの位置を変化させる第２移動制御に切替えて前記キャリッジを前記所定の方向に移動させ、前記２つのセンサーのうち移動の後方側のセンサーで前記一端を検出した後に、前記第２移動制御から前記第１移動制御に切替えて前記キャリッジを前記所定の方向に移動させ、前記前方側のセンサーが前記媒体の他端を検出した後に、前記第１移動制御から前記第２移動制御に切替えて前記キャリッジを前記所定の方向に移動させ、前記後方側のセンサーで前記他端を検出し、前記後方側のセンサーによる前記一端および前記他端の検出結果に基づいて前記媒体の前記幅方向の長さを算出する、ことを特徴とする印刷装置の制御方法。